(57)【要約】【課題】本考案は、繋ぎの目地部分にモルタル等の充填材を充填する必要がなく、配線路が上下左右に蛇行し、あるいはその接続部分に隙間を開けてしまうことがない、配線路用ブロックを提供することを目的とするものである。【解決手段】  本考案は、右側壁と左側壁と底板とで凹溝形に形成されたブロック本体と、上側開口を塞ぐブロック蓋板とを有する配線路用ブロックであり、ブロック本体には、右側壁の長手方向一端面に突起部を形成し、左側壁の長手方向一端面には突起部が嵌まり込む形状の受入凹部を形成し、底板の長手方向一端面には突起部を形成すると共に受入凹部を形成し、右側壁の長手方向他端面には受入凹部を形成し、左側壁の長手方向他端面には突起部を形成し、底板の長手方向他端面には受入凹部を形成すると共に突起部を形成して、ブロック本体の両端面に各々４カ所の接続用噛合部を形成した、ことを特徴とする。【選択図】              図３
0003107379.tif 000002
【実用新案登録請求の範囲】
【請求項１】
右側壁と左側壁と底板とで凹溝形に形成されたブロック本体と、該ブロック本体の上側開口を塞ぐブロック蓋板とを有する配線路用ブロックであり、
ブロック本体には、右側壁の長手方向一端面略中間部に、台形状に突出する突起部を形成し、
左側壁の長手方向一端面略中間部には、前記台形状に突出する突起部が嵌まり込む形状の受入凹部を形成し、
底板の長手方向一端面には、右側壁側に寄せて、前記右側壁に形成された突起部と同様の形状からなる突起部を形成すると共に、左側壁側に寄せて、前記左側壁に形成された受入凹部と同様の形状からなる受入凹部を形成し、
右側壁の長手方向他端面略中間部には、前記突起部が嵌まり込む受入凹部を形成し、左側壁の長手方向他端面略中間部には、前記突起部と同様に台形状に突出する突起部を形成し
底板の長手方向他端面には、右側壁側に寄せて、前記右側壁に形成された受入凹部と同様形状の受入凹部を形成すると共に、左側壁側に寄せて、前記左側壁に形成された突起部と同様に台形状に突出する突起部を形成して、ブロック本体の両端面に各々４カ所の接続用噛合部を形成した、
ことを特徴とする配線路用ブロック。
【請求項２】
右側壁と左側壁と底板とで凹溝形に形成されたブロック本体と、該ブロック本体の上側開口を塞ぐブロック蓋板とを有する配線路用ブロックであり、
ブロック本体には、右側壁の長手方向一端面略中間部に、台形状に突出する突起部を形成し、
左側壁の長手方向一端面略中間部には、前記台形状に突出する突起部が嵌まり込む形状の受入凹部を形成し、
底板の長手方向一端面には、右側壁側に寄せて、前記右側壁に形成された突起部と同様の形状からなる突起部を形成すると共に、左側壁側に寄せて、前記左側壁に形成された受入凹部と同様の形状からなる受入凹部を形成し、
右側壁の長手方向他端面略中間部には、前記突起部が嵌まり込む受入凹部を形成し、左側壁の長手方向他端面略中間部には、前記突起部と同様に台形状に突出する突起部を形成し
底板の長手方向他端面には、右側壁側に寄せて、前記右側壁に形成された受入凹部と同様形状の受入凹部を形成すると共に、左側壁側に寄せて、前記左側壁に形成された突起部と同様に台形状に突出する突起部を形成して、ブロック本体の両端面に各々４カ所の接続用噛合部を形成し、
ブロック蓋板は、平板形長方形状をなし、前記ブロック本体の長さの２分の１の長さとされてなると共に、幅方向両端には前記ブロック本体の両側壁上端角部間に嵌まり込む段部が設けられ、
該段部は幅方向内側から外側に向かって略上り勾配で傾斜する傾斜面段部として形成され、かつ長手方向一端面には、幅方向に所定の間隔をおいて突起部と突起部あるいは突起部が嵌入する受入孔が設けられ、
他端面には前記突起部が嵌合する受入孔と突起部と同等形状をなす突起部とが各々設けられてブロック蓋板の両端面には各々２箇所の接続用噛合部が形成され、
前記ブロック本体の端面に形成された４カ所の接続用噛合部とあわせて、配線路用ブロックの接続面たる端面には合計６カ所の噛合部が形成された、
ことを特徴とする配線路用ブロック。
【請求項３】
前記ブロック本体及びブロック蓋板は、長手方向において向きを１８０度回転させたときに同一形状となるし、
ことを特徴とする請求項１または請求項２記載の配線路用ブロック。
【請求項４】
前記ブロック本体及びブロック蓋板は、耐アルカリガラス繊維強化セメント製であって鉄筋を埋設していない、
ことを特徴とする請求項１，請求項２または請求項３記載の配線路用ブロック。
【考案の詳細な説明】
【技術分野】
【０００１】
本考案は、鉄道、高速道路等で使用する情報ケーブル等各種の配線を収容保護する配線路を構築敷設するための配線路用ブロックに関するものである。
【背景技術】
【０００２】
従来の配線路用ブロックは、鉄筋コンクリート製のＵ字形本体とその上面開口を覆う同じく鉄筋コンクリート製の蓋板とからなり、上記Ｕ字形本体をその長手方向端面を接合させ目地にモルタルを充填しながら連設するとともに、それに上記蓋板をただ単に被せて所要の配線路を構築敷設するものであった。
【０００３】
また、実開昭60−199728号に示されたケーブルトラフ用ブロックも一般に知られている。
【０００４】
【特許文献１】実開昭60−199728号公報
【考案の開示】
【考案が解決しようとする課題】
【０００５】
ここで、はじめに説明した従来の配線路用ブロックでは、配線路用ブロック自体の重量も重く施工作業性が悪いとともに、地盤が軟弱であったり低下したりするのに伴い、その配線路は上下左右に蛇行したり、また、繋ぎの目地部分に隙間があいてしまう等の課題があった。
【０００６】
したがってこれにより、収容した情報ケーブル等の配線を断線させることもあり、かつ、上記Ｕ字形本体中に防鼠対策として砂、アスファルト等の充填材を充填して配線を埋設しているときには、当該充填材が隙間から洩れるという課題があった。
【０００７】
また、次に説明した従来のケーブルトラフ用ブロックでは、ブロックの接続面において、両側壁に各々１カ所、底板部に１カ所の突片と切欠しかないと共に、ブロック蓋板の接続及びケーブルトラフ用ブロックとブロック蓋板との嵌合については何等開示されてなく、ケーブルトラフ用ブロックの繋ぎ目における上下動、左右動、前後動を永年にわたって防ぐには充分ではないとの課題がある。
【０００８】
かくして、本考案は、繋ぎの目地部分にモルタル等の充填材を充填する必要がなく、しかも上記のような課題を解決した配線路用ブロックを提供することを目的とするものである。
【課題を解決するための手段】
【０００９】
本考案にかかる配線路用ブロックは、
右側壁と左側壁と底板とで凹溝形に形成されたブロック本体と、該ブロック本体の上側開口を塞ぐブロック蓋板とを有する配線路用ブロックであり、
ブロック本体には、右側壁の長手方向一端面略中間部に、台形状に突出する突起部を形成し、
左側壁の長手方向一端面略中間部には、前記台形状に突出する突起部が嵌まり込む形状の受入凹部を形成し、
底板の長手方向一端面には、右側壁側に寄せて、前記右側壁に形成された突起部と同様の形状からなる突起部を形成すると共に、左側壁側に寄せて、前記左側壁に形成された受入凹部と同様の形状からなる受入凹部を形成し、
右側壁の長手方向他端面略中間部には、前記突起部が嵌まり込む受入凹部を形成し、左側壁の長手方向他端面略中間部には、前記突起部と同様に台形状に突出する突起部を形成し
底板の長手方向他端面には、右側壁側に寄せて、前記右側壁に形成された受入凹部と同様形状の受入凹部を形成すると共に、左側壁側に寄せて、前記左側壁に形成された突起部と同様に台形状に突出する突起部を形成して、ブロック本体の両端面に各々４カ所の接続用噛合部を形成した、
ことを特徴とし、
または、
右側壁と左側壁と底板とで凹溝形に形成されたブロック本体と、該ブロック本体の上側開口を塞ぐブロック蓋板とを有する配線路用ブロックであり、
ブロック本体には、右側壁の長手方向一端面略中間部に、台形状に突出する突起部を形成し、
左側壁の長手方向一端面略中間部には、前記台形状に突出する突起部が嵌まり込む形状の受入凹部を形成し、
底板の長手方向一端面には、右側壁側に寄せて、前記右側壁に形成された突起部と同様の形状からなる突起部を形成すると共に、左側壁側に寄せて、前記左側壁に形成された受入凹部と同様の形状からなる受入凹部を形成し、
右側壁の長手方向他端面略中間部には、前記突起部が嵌まり込む受入凹部を形成し、左側壁の長手方向他端面略中間部には、前記突起部と同様に台形状に突出する突起部を形成し
底板の長手方向他端面には、右側壁側に寄せて、前記右側壁に形成された受入凹部と同様形状の受入凹部を形成すると共に、左側壁側に寄せて、前記左側壁に形成された突起部と同様に台形状に突出する突起部を形成して、ブロック本体の両端面に各々４カ所の接続用噛合部を形成し、
ブロック蓋板は、平板形長方形状をなし、前記ブロック本体の長さの２分の１の長さとされてなると共に、幅方向両端には前記ブロック本体の両側壁上端角部間に嵌まり込む段部が設けられ、
該段部は幅方向内側から外側に向かって略上り勾配で傾斜する傾斜面段部として形成され、かつ長手方向一端面には、幅方向に所定の間隔をおいて突起部と突起部あるいは突起部が嵌入する受入孔が設けられ、
他端面には前記突起部が嵌合する受入孔と突起部と同等形状をなす突起部とが各々設けられてブロック蓋板の両端面には各々２箇所の接続用噛合部が形成され、
前記ブロック本体の端面に形成された４カ所の接続用噛合部とあわせて、配線路用ブロックの接続面たる端面には合計６カ所の噛合部が形成された、
ことを特徴とし、
または、
前記ブロック本体及びブロック蓋板は、長手方向において向きを１８０度回転させたときに同一形状となるし、
ことを特徴とし、
または、
前記ブロック本体及びブロック蓋板は、耐アルカリガラス繊維強化セメント製であって鉄筋を埋設していない、
ことを特徴とするものである。
【００１０】
すなわち、本考案にかかる配線路用ブロックは、左側壁５と右側壁８と底板２とで凹溝形に形成されたブロック本体１と、ブロック蓋板１９あるいはほかの種類のブロック蓋板２８とを有するものとして配線路用ブロックが構成されている。
【００１１】
ここで、左側壁５の長手方向一端面６の中間部には、台形状に突出する突起部１５が形成されている。
【００１２】
また、右側壁８の長手方向一端面９の中間部には、台形状に突出する突起部１６が嵌まり込む形状の受入凹部１７が形成されている。
【００１３】
底板２の長手方向一端面３には、左側壁５側に寄せて、前記左側壁５に形成された突起部１５と同様の形状からなる突起部１１が形成されていると共に、右側壁８側に寄せて、前記右側壁８に形成された受入凹部１７と同様の形状からなる受入凹部１３が形成されている。
【００１４】
そして、左側壁５の長手方向他端面７の中間部には、前記突起部１５が嵌まり込む受入凹部１８が形成され、右側壁８の長手方向他端面１０の中間部には、前記突起部１５と同様に台形状に突出する突起部１６が形成されている。
【００１５】
さらに、底板２の長手方向他端面４には、左側壁５側に寄せて、前記左側壁５に形成された受入凹部１８と同様形状をなす受入凹部１４が形成されると共に、右側壁８側に寄せて、前記右側壁８に形成された突起部１６と同様に台形状に突出する突起部１２が形成されて、ブロック本体１の両端面に各々４カ所の噛合部が形成される。
【００１６】
次に、ブロック蓋板１９あるいは２８は、平板形長方形状をなし、前記ブロック本体１の長さの２分の１の長さとされている。
【００１７】
また、ブロック蓋板１９あるいは２８の幅方向両側には前記ブロック本体１の両側壁上端角部３５、３５間に嵌まり込む段部２２、２３が設けられ、 該段部２２、２３は幅方向内側から外側に向かって略上り勾配でかつ内側に窪む湾曲面で傾斜する傾斜面段部として形成されている。
【００１８】
そして、ブロック蓋板１９あるいは２８の長手方向一端面２０あるいは２９には、幅方向に所定の間隔をおいて突起部２４あるいは３１と突起部２５あるいは３２が嵌入する受入孔２６あるいは３３が設けられ、他端面２１あるいは３０には前記突起部２４あるいは３１が嵌合する受入孔２７あるいは３４と突起部２４あるいは３１と同等形状をなす突起部２５あるいは３２とが各々設けられ、前記ブロック本体１の端面に形成された４カ所の噛合部とあわせ、配線路用ブロックの接続面たる端面には合計６カ所の噛合部が形成されている。
【００１９】
ここで、ブロック本体１及びブロック蓋板１９あるいは２８は、耐アルカリガラス繊維強化セメント製であって鉄筋を埋設していない構成となっている。
【００２０】
図１において、符号１はブロック本体で、底板２と左右側壁５、８とで凹溝形をなして構成されていること前述した通りである。
【００２１】
そして、底板２の長手方向一端面３、他端面４及び左右側壁５、８のそれぞれの長手方向一端面６、９、他端面７、１０は互いに噛合する関係に設計され、嵌まり合う関係とされた突起部１１、１２、１５、１６と受入凹部１３、１４、１７、１８とを各々別々に形成している。もって両端面には各々４カ所の噛合部が形成されるものとなっている。
【００２２】
また、符号１９、２８はブロック蓋板で、それらは、平板形の長方形状をなすと共に、長手方向両端面２０、２１あるいは２９、３０に互いに噛合し、嵌まり合う関係に設計された突起部２４、２５、３１、３２と受入孔２６、２７、３３、３４を各々形成してなる。
【００２３】
よって、前記ブロック本体１の噛合部４カ所とあわせ、配線路用ブロックの接続面となる端面に合計６カ所の噛合部が形成されるものとなっている。
【００２４】
ここで、配線路の施工に際しては、ブロック蓋板は前記１９あるいは２８のいずれを使用しても構わないものである。
【００２５】
上記において、ブロック本体１の底板１の長手方向一端面３に所要の間隔をおいて形成した突起部１１及び受入凹部１３と、両長手方向他端面４に形成する受入凹部１４及び突起部１２を互いに対応させるとともに、左右側壁５、８の長手方向一端面６、９に形成した突起部１５あるいは受入凹部１７に同長手方向他端面７、１０に形成する受入凹部１８あるいは突起部１６を互いに対応させておく。
【００２６】
さらに、ブロック蓋板１９、あるいはブロック蓋板２８の長手方向一端面２０、２９に所要の間隔をおいて形成した突起部２４、３１及び受入孔２６、３３と、長手方向他端面２１、３０に形成する受入孔２７、３４及び突起部２５、３２を対応させておく。そしてこれらを噛合させ、配線路用ブロックを接続する。
【００２７】
これによって、これらブロック本体１及びブロック蓋板１９、あるいはブロック蓋板２８は、いずれもその前後方向に動くことがなく一体のものとして形成できる。
【００２８】
また、ブロック蓋板１９あるいは２８の幅方向両端には前記ブロック本体１の両側壁上端角部３５、３５間に若干の弾性をもって嵌まり込む段部２２、２３が設けられ、該段部２２、２３は幅方向内側から外側に向かって略上り勾配でかつ内側に窪む湾曲した形で傾斜する傾斜面段部として形成されている。
【００２９】
よって、段部２２、２３がブロック本体１の左右側壁５、８の上端角部３５、３５間に強固に嵌合し、ブロック本体１とブロック蓋板１９あるいはブロック蓋板２８との接続が簡単作業で得られる。
【００３０】
そして、本考案にかかる配線路用ブロックでは、その接続面たる端面に合計６カ所の噛合部が形成され、これらを噛合させることにより、上下動も左右動も前後動もしなくなる。
【００３１】
さらに、ブロック本体１及びブロック蓋板１９、２８を耐アルカリガラス繊維強化セメント製とし、鉄筋を埋設していないので、従来の鉄筋コンクリート製からなるブロックのような欠点がなくなる。
【考案の効果】
【００３２】
本考案によれば、ブロック本体は、その底板と左右側壁のそれぞれの長手方向両端面に各別に形成された突起部と受入凹部とを互いに噛合、嵌合することによって、また、ブロック蓋板も、その長手方向両端面に形成の突起部と受入孔を噛合、嵌合することによって、さらにブロック蓋板をブロック本体上面へ嵌め込んであるので、形成された配線路全体として上下動も左右動も前後動もしなくなるから、地盤が軟弱であったり、低下したりするようなことがあっても、所要の限度内ではあるが、その配線路が上下左右に蛇行し、あるいはその接続部分に隙間を開けてしまうことがなく、そのために、収容した情報ケーブル等の配線を断線させるというようなことがないとの効果を奏する。
【００３３】
また、ブロック本体及びブロック蓋板を耐アルカリガラス繊維強化セメント製とし、鉄筋を埋設していないので、従来の鉄筋コンクリート製のものを使用する際に生じる課題も解決できる。
【００３４】
さらに、ブロック本体及びブロック蓋板はいずれもその前後に方向性がなく共通になり、接続に至便である。
【考案を実施するための最良の形態】
【００３５】
以下、本考案の実施の形態を図に基づいて説明する。
（実施例１）
符号１は耐アルカリガラス繊維強化セメント製のブロック本体で、それは、底板２の左右に左右側壁５、８を一体に設けて凹溝形をなしている。
【００３６】
符号１９、符号２８は同じく耐アルカリガラス繊維強化セメント製のブロック蓋板で、それは上記ブロック本体１の上面開口を閉塞する平板形長方形状をなしているものである。そして、その長さはブロック本体１の長さの２分の１の長さとされている。
【００３７】
このようにブロック本体１及び蓋板１９、２８は、耐アルカリガラス繊維強化セメント製であるため、薄肉軽量にでき、従来の鉄筋コンクリート製のものに比べ製品重量が３分の１乃至２分の１になるので、運搬はもちろん施工を容易かつ安全に実施できるものであり、また、鉄筋を使用していないので耐蝕性及び電波透過損失等にきわめて優れている。
【００３８】
ブロック本体１の底板２及び左右側壁５、８は、その長手方向一端面及び他端面に互いに噛合する関係及び嵌まり合う関係に設計された突起部と受入凹部を有する。
【００３９】
すなわち、符号１１、符号１３は底板２の長手方向一端面３に所要の間隔をおいて形成した突起部及び受入凹部であり、また、符号１２、符号１４は同長手方向他端面４に形成した突起部及び受入凹部であって、突起部１１と受入凹部１４、突起部１２と受入凹部１３がそれぞれ対応する関係で一体成形されている。
【００４０】
符号１５、符号１７は左右側壁５、８の長手方向一端面６、９に形成した突起部及び受入凹部であり、符号１６は右側壁８の長手方向他端面１０に形成した突起部、１８は左側壁５の長手方向他端面７に形成した受入凹部で、突起部１５と受入凹部１８、突起部１６と受入凹部１７とがそれぞれ対応する関係で一体に成形されている。
【００４１】
ここで、互いに隣り合う２個のブロック本体１と１との接続は、前者の長手方向他端面４、７、１０の突起部１２、１６及び受入凹部１４、１８を、後者の長手方向一端面３、６、９の受入凹部１３、１７及び突起部１１、１５に、長手方向から接近させそれぞれを噛合させ、嵌め込んで行うもので、それによって、ブロック本体１と１は上下動も左右動も前後動もし得ない状態で接続される。
【００４２】
すなわち、ブロック本体１と１は左右側壁５、８の突起部１５、１６と受入凹部１７、１８との噛合、嵌め込みによって上下動が阻止され、また、底板２の突起部１１、１２と受入凹部１３、１４との噛合、嵌め込みによって左右動が阻止されるものである。
【００４３】
次に、前記ブロック蓋板１９は、その長さを上述のように上記ブロック本体１の２分の１の長さとされており、また幅方向の下面左右辺縁にはブロック本体１の左右側壁５、８の上端角部３５、３５間に嵌合する段部２２、２３を備えている。
【００４４】
ここで、前記段部２２、２３は幅方向内側から外側に向かって略上り勾配で、かつ湾曲して傾斜する傾斜面段部として各々形成されているため、段部２２、２３がブロック本体１の左右側壁５、８の上端角部３５、３５間に嵌合し、上下動、左右動及び前後動しないものとなる。
【００４５】
符号２４、２６はブロック蓋板１９の長手方向一端面２０に所要の間隔をおいて形成した偏平形の突起部と受入孔であり、また符号２５、２７は同長手方向他端面２１に所要の間隔をおいて形成した同じく偏平形の突起部と受入孔で、突起部２４と受入孔２７、突起２５と受入孔２６とがそれぞれ対応する関係で一体成形されている。
【００４６】
尚、１個のブロック本体１の上面開口は２枚のブロック蓋板１９で閉塞するもので、それは、段部２２、２３をブロック本体１の左右側壁５、８の上端に嵌合させて直列状態で乗載することによって行われることは既に説明したとおりである。
【００４７】
その場合、互いに隣り合う２枚のブロック蓋板１９と１９の接続は、前者の長手方向他端面２１の突起部２５及び受入孔２７を後者の長手方向一端面２０の受入孔２６及び突起部２４に対し、長手方向から接近させそれぞれを噛合、嵌合させて行うもので、これによって、ブロック蓋板１９と１９は、ブロック本体１及び１と同様上下動も左右動も前後動もし得ない状態で接続される。
【００４８】
ここで、ブロック蓋板２８は、長手方向一端面２９と同他端面３０にそれぞれ所要の間隔をおいて形成した突起部３１、３２及び受入孔３３、３４が円形であることにおいて、上記ブロック蓋板１９と相違するだけで、その他の構成及び使用法等には変わるところがないものである。
【図面の簡単な説明】
【００４９】
【図１】ブロック本体の斜視図である。
【００５０】
【図２】ブロック蓋板の構成説明図（その１）である。
【００５１】
【図３】ブロック蓋板の構成説明図（その２）である。
【００５２】
【図４】ブロック蓋板の長手方向端面の構成を説明する構成説明図（その１）である。
【００５３】
【図５】ブロック蓋板の長手方向端面の構成を説明する構成説明図（その２）である。
【符号の説明】
【００５４】
１                      ブロック本体
２                      底板
３                      底板の長手方向一端面  
４                      底板の長手方向他端面
５                      左側壁
６                      左側壁の長手方向一端面
７                      左側壁の長手方向他端面
８                      右側壁
９                      右側壁の長手方向一端面  
１０                    右側壁の長手方向他端面  
１１                    突起部
１２                    突起部
１３                    受入凹部
１４                    受入凹部
１５                    突起部
１６                    突起部
１７                    受入凹部
１８                    受入凹部
１９                    ブロック蓋板
２０                    ブロック蓋板の長手方向一端面
２１                    ブロック蓋板の長手方向他端面
２２                    段部
２３                    段部
２４                    突起部
２５                    突起部
２６                    受入孔
２７                    受入孔
２８                    ブロック蓋板
２９                    ブロック蓋板の長手方向一端面
３０                    ブロック蓋板の長手方向他端面
３１                    突起部
３２                    突起部
３３                    受入孔
３４                    受入孔
３５                    上端角部
【図１】
0003107379.tif 000003
【図２】
0003107379.tif 000004
【図３】
0003107379.tif 000005
【図４】
0003107379.tif 000006
【図５】
0003107379.tif 000007